(57)【要約】【課題】アースバネのＬＮＡ基板との接合部にストレスが加わることがなく、信頼性の高いアンテナ装置を提供する。【解決手段】アンテナユニット３がアンテナ基板４の一方の面に実装されるとともに、アンテナ基板４の他方の面にＬＮＡ基板１が実装され、ＬＮＡ基板１を覆ってシールドケース６が取り付けられている。アースバネ５の先端がシールドケース６の内面と接するようにＬＮＡ基板１に取り付けられている。アースバネは、先端に加わる押圧力により基端部がＬＮＡ基板１側に押圧される押しバネ式のアースバネである。アースバネ５の先端が弾性力をもってシールドケース６の内面に圧接されると、押圧力がアースバネ５の基端部をＬＮＡ基板１側に押し付けるように働く。【選択図】  図４
2005012374.tif 000002
【特許請求の範囲】
【請求項１】
アンテナユニットがアンテナ基板の一方の面に実装されるとともに、前記アンテナ基板の他方の面にＬＮＡ基板が実装され、ＬＮＡ基板を覆ってシールドケースが取り付けられてなるアンテナ装置において、
先端が前記シールドケースの内面と接するようにアースバネが前記ＬＮＡ基板に取り付けられており、
前記アースバネは、先端に加わる押圧力により基端部がＬＮＡ基板側に押圧される押しバネ式のアースバネであることを特徴とするアンテナ装置。
【請求項２】
前記アースバネは、湾曲形成されたＵ字状部と、その両端を折り返した接地部とからなり、
前記Ｕ字状部が前記シールドケースの内面と接するとともに、前記接地部がＬＮＡ基板に半田付け固定されていることを特徴とする請求項１記載のアンテナ装置。
【請求項３】
前記Ｕ字状部で囲まれる領域において、アンテナユニットとＬＮＡ基板が電気的に接続されていることを特徴とする請求項２記載のアンテナ装置。
【請求項４】
前記アースバネは、渦巻き状のバネ部と、これを支持する支持ピン部とからなり、
前記渦巻き状のバネ部が前記シールドケースの内面と接するとともに、前記支持ピン部がＬＮＡ基板に植立されていることを特徴とする請求項１記載のアンテナ装置。
【発明の詳細な説明】
【０００１】
【発明の属する技術分野】
本発明は、ＬＮＡ基板を備えたアンテナ装置に関するものであり、特に、ＬＮＡ基板の入力ＧＮＤ安定化のために設けられるアースバネの改良に関する。
【０００２】
【従来の技術】
従来、自動車のドライバーに対して自車の進路等を誘導・案内するシステム、いわゆるカーナビゲーションシステムが広く普及している。このようなカーナビゲーションシステムにおいては、自車の速度や走行距離などによって現在位置の特定が行われる一方で、位置精度を向上させるために、ＧＰＳアンテナによりＧＰＳ衛星から送出される電波を受信し、受信した電波から取得した位置情報によっても現在位置の特定が行われている。
【０００３】
あるいは、近年、米国等においては、人工衛星から送出される電波によりデジタルラジオ放送等を提供することも進められている。このようなデジタルラジオ放送を受信するデジタルラジオ受信システムにおいても、やはり衛星から送出される電波を受信するアンテナが必要であり、いわゆる衛星ラジオ受信用アンテナが用いられている。
【０００４】
上述のようなＧＰＳアンテナや衛星ラジオ受信用アンテナは、アンテナ部とＬＮＡ（Ｌｏｗ  Ｎｏｉｓｅ  Ａｍｐ）部とからなり、通常、アンテナ基板にアンテナユニットを取り付けるとともに、アンテナ基板の裏側にＬＡＮ回路が形成されたＬＮＡ基板を取り付け、これをカバー部材に収納した状態で自動車の屋根等に装着するようにしている。
【０００５】
ここで、ノイズ等の侵入を防ぐことを目的に、ＬＮＡ基板にはシールドケースが被せられ、さらにＬＮＡ回路の入力ＧＮＤの安定化のために、アースバネが取り付けられている。図６は、従来のアンテナ装置の構成例を示すものである。アンテナ基板１０１の一方の面にアンテナユニット１０２が、他方の面にＬＮＡ基板１０３が取り付けられ、ＬＮＡ基板１０３を覆ってシールドケース１０４が取り付けられている。ＬＮＡ基板１０３には、アースバネ１０５が取り付けられ、その先端がシールドケース１０４の内面に接することで、入力ＧＮＤの安定化が図られている。
【０００６】
【発明が解決しようとする課題】
ところで、前記アースバネ１０５としては、通常、平板状の金属片を斜めに折り曲げたものが用いられ、その一端側をシールドケースと接触させ、他端側をＬＮＡ基板１０３に半田付けしている。このとき、アースバネ１０５の先端１０５ａは、弾性力をもってシールドケース１０４の内面に圧接され、図７に示すように、矢印Ａ方向に押圧力が加わる。すると、ＬＮＡ基板１０３への半田付け部では、点Ｂを支点として矢印Ｃ方向（すなわち、アースバネ１０５を引き剥がす方向）への力が加わる。したがって、アースバネ１０５のＬＮＡ基板１０３との接合部にストレスが加わり、信頼性の面で大きな問題となっている。
【０００７】
本発明は、このような従来構造の有する欠点を解消するために提案されたものであり、アースバネのＬＮＡ基板との接合部にストレスが加わることがなく、信頼性の高いアンテナ装置を提供することを目的とする。
【０００８】
【課題を解決するための手段】
上述の目的を達成するために、本発明に係るアンテナ装置は、アンテナユニットがアンテナ基板の一方の面に実装されるとともに、前記アンテナ基板の他方の面にＬＮＡ基板が実装され、ＬＮＡ基板を覆ってシールドケースが取り付けられてなるアンテナ装置において、先端が前記シールドケースの内面と接するようにアースバネが前記ＬＮＡ基板に取り付けられており、前記アースバネは、先端に加わる押圧力により基端部がＬＮＡ基板側に押圧される押しバネ式のアースバネであることを特徴とする。
【０００９】
本発明のアンテナ装置では、アースバネの先端が弾性力をもってシールドケースの内面に圧接されて押圧力が発生した時に、当該押圧力がアースバネの基端部をＬＮＡ基板側に押し付けるように働く。したがって、アースバネを引き剥がす方向への力が加わることがなく、アースバネのＬＮＡ基板との接合部にストレスが加わることがない。
【００１０】
【発明の実施の形態】
以下、本発明を適用したアンテナ装置について、図面を参照して詳細に説明する。
【００１１】
図１は、本発明を適用したアンテナ装置の一連の組立工程を示す図面である。このアンテナ装置を組み立てるには、先ず、図１（ａ）に示すように、ケーブル２を半田付け固定したＬＮＡ基板１と、アンテナユニット３を実装したアンテナ基板４とを用意する。
【００１２】
アンテナユニット３は、円筒形状の誘電体の周面に螺旋状のアンテナ導体３ａを形成するとともに、中心にポールアンテナ３ｂを植立してなるものであり、必要箇所を半田付けする等の方法によりアンテナ基板４に実装されている。
【００１３】
ＬＡＮ基板１は、例えば第一段増幅器（ＬＮＡ＝ローノイズ増幅器）、バンドパスフィルタ、第二段増幅器（ＬＮＡ＝ローノイズ増幅器）によって構成されるＬＮＡ回路が搭載された基板であり、通常のリジッド基板に所定の配線パターンを形成し、所定の部品を実装することにより構成されている。
【００１４】
前記ＬＮＡ基板１には、後述のシールドケースと接触し、入力ＧＮＤの安定化を図るアースバネ５が取り付けられている。アースバネ５は、図２に示すように、湾曲形成されたＵ字状部５ａと、その両端を折り返した接地部５ｂ，５ｃとからなり、前記Ｕ字状部５ａがシールドケースの内面と接するとともに、前記接地部５ｂ，５ｃがＬＮＡ基板１に半田付け固定されている。なお、本例においては、一方の接地部５ｂがＬＮＡ基板１の面内方向において斜めに折り曲げられており、ＬＮＡ基板１への取り付け状態の安定化を図るようにしている。
【００１５】
次に、図１（ｂ）に示すように、前記ＬＮＡ基板１をアンテナ基板４に取り付ける。このとき、本実施形態においては、図３に示すように、ＬＡＮ基板１の周囲４カ所に設けられた端面スルーホール７を半田付けすることにより固定し、同時にアンテナ基板４のＧＮＤパターンとＬＮＡ基板１のＧＮＤパターンの接続も行う。
【００１６】
また、ＬＮＡ基板１をアンテナ基板４に取り付けた際に、前記アースバネ５のＵ字状部５ａで囲まれる領域において、アンテナユニット３のポールアンテナ３ｂがＬＮＡ基板１に接続されている。アースバネ５は、前記ポールアンテナ３ｂを中心としてこれを取り囲むように配置され、アンテナユニット３、ＬＮＡ基板１、及びシールドケースの取り付け構造を安定なものとしている。
【００１７】
ＬＡＮ基板１を取り付けた後、図１（ｃ）に示すように、シールドケース６をＬＮＡ基板１側に被せ、図１（ｄ）に示すアンテナ装置を完成する。シールドケース６には、位置決めタブ６ａが複数箇所（例えば３カ所）に設けられており、これをアンテナ基板４に形成された位置決め孔に嵌合させ、半田付けすることにより、アンテナ基板４に対して位置決め固定される。
【００１８】
このようにシールドケース６をＬＮＡ基板１に被せると、前記アースバネ５のＵ字状部５ａがシールドケース６の内面に当接する。このとき、シールドケース６の内面でアースバネ５を若干押し込むような形になり、図４に示すように、アースバネ５のＵ字状部５ａに図中矢印Ｄ方向の押圧力が加わる。そのため、アースバネ５の接地部５ｂ，５ｃにも押圧力が加わるが、このとき接地部５ｂ，５ｃに加わる押圧力は、矢印Ｅで示すように、アースバネ５の接地部５ｂ，５ｃをＬＮＡ基板１側に押し付けるように働く。したがって、アースバネ５のＬＮＡ基板１との接合部にストレスが加わることがなく、アースバネ５の性能が長期に亘り確保される。
【００１９】
完成されたアンテナ装置は、カバー部材等に収納され、自動車の屋根等に装着される。
【００２０】
以上、本発明を適用したアンテナ装置について説明してきたが、本発明がこの実施形態に限られるものでないことは言うまでもない。例えば、アースバネ５の形状は、先の図２に示す例に限られるものではなく、図５に示すように、渦巻き状のバネ部５ｄと、ＬＮＡ基板１に取り付けるための支持ピン部５ｅとから構成されてもよい。この場合、支持ピン部５ｅをＬＮＡ基板１に植立することにより実装されるが、バネ部５ｄに押圧力が加わった場合、支持ピン部５ｅをＬＮＡ基板１に押し込むように押圧力が働くことから、やはりアースバネ５が脱落するようなストレスが加わることはない。
【００２１】
【発明の効果】
以上の説明からも明らかなように、本発明のアンテナ装置においては、アースバネのＬＮＡ基板との接合部にストレスが加わることがなく、信頼性の高いアンテナ装置を提供することが可能である。
【図面の簡単な説明】
【図１】本発明を適用したアンテナ装置の組立工程を示す図であり、（ａ）はＬＮＡ基板とアンテナ基板の位置合わせ工程、（ｂ）はＬＮＡ基板のアンテナ基板への取り付け工程、（ｃ）はシールドケースの位置合わせ工程、（ｄ）はシールドケース取り付け工程をそれぞれ示す。
【図２】アースバネの形状を示す図であり、（ａ）は側面図、（ｂ）は平面図である。
【図３】ＬＮＡ基板のアンテナ基板への取り付け状態を示す平面図である。
【図４】アースバネに加わる押圧力を示す図である。
【図５】アースバネの他の例を示す概略斜視図である。
【図６】従来のアンテナ装置の一例を示す図である。
【図７】従来のアースバネに加わる押圧力を示す図である。
【符号の説明】
１          ＬＮＡ基板
３          アンテナユニット
４          アンテナ基板
５          アースバネ
５ａ        Ｕ字状部
５ｂ，５ｃ  接地部
６          シールドケース
７          端面スルーホール
【図１】
2005012374.tif 000003
【図２】
2005012374.tif 000004
【図３】
2005012374.tif 000005
【図４】
2005012374.tif 000006
【図５】
2005012374.tif 000007
【図６】
2005012374.tif 000008
【図７】
2005012374.tif 000009